(57)【要約】    【課題】  複数種類の永久磁石を選択して装着可能な磁石取付部を有する振り子駆動装置を安価に提供する。    【解決手段】  枠体１の一部に揺動自在に支持された振り竿体３の所定位置に永久磁石８が取り付けてあり、枠体１には振り竿体２にの下部に位置する磁石取付部４に取り付けられた永久磁石８と対向可能位置に駆動コイル６が設けてある。永久磁石８は。磁石取付部４には厚みが異なる永久磁石８の上面を駆動コイル７と対向面間の距離を一定に保持可能な段差４ｅを設けてある。取り付けられた永久磁石８は板ばね部４ａによって上向きの力を受けて度当たり部４ｂに押圧されるため、永久磁石８の上面と駆動コイル７の下面との間の距離は磁石の種類を問わず常に一定になる。これにより複数種類の永久磁石を選択して使い分け可能であり、誤って異種磁石を取り付けるようなこともなくなる。    【選択図】      図１
2005069896.tif 000002
【特許請求の範囲】
【請求項１】
枠体の一部に揺動自在に支持され、下端部に振り子を吊り下げ可能な振り竿体の所定位置に永久磁石が取り付けてあり、上記枠体には上記永久磁石と対向可能位置に駆動コイルが設けてあり、上記永久磁石と上記駆動コイルとにより上記振り子を所定の振角で往復運動可能にする振り子駆動装置であって、
上記永久磁石は上記振り竿体に設けてある磁石取付部に取り付けられており、上記磁石取付部は厚みが異なる永久磁石と上記駆動コイルとの対向面間の距離を一定に保持可能にする段差を設けたものである
ことを特徴とする振り子駆動装置。
【発明の詳細な説明】
【技術分野】
【０００１】
本発明は、置き時計等に設けられる飾り振り子を駆動するための振り子駆動装置に関するものである。
【背景技術】
【０００２】
従来から飾り振り子を備えたいわゆる振り子付き時計は、駆動コイルの電磁誘導作用と永久磁石の磁力との吸引・反発力を利用するものであることは周知の通りである。一般に振り子付き時計の振り子を往復運動させるための駆動装置は、支持枠体側に駆動コイルを設け、振り子を取り付けるための振り竿側に永久磁石を設けるようにしてある。飾り振り子には様々な形状や質量のものがあるが、一般的に質量の大きいものは必要な駆動力も大きくなり、振り子の振角は小さくなる。反対に質量の小さい振り子は必要な駆動力は小さいが振角は大きくなる性質がある。このような理由から振り子の振角は飾り振り子の諸元の変化に対応して調整が必要となっている。振り子の振角を調整する方法の１つとして、永久磁石を磁束密度の異なるものと交換することが行われている。
【特許文献１】特開２００１−２０８８６８号公報
【発明の開示】
【発明が解決しようとする課題】
【０００３】
しかしながら、従来技術における振り竿体に設けてある永久磁石の取付部は１種類の永久磁石のみ取り付け可能となっている（特許文献１）。したがって、永久磁石の磁束密度が同一となってしまうため、飾り振り子の諸元の変化に対応できない問題がある。これに対しては、永久磁石を同一形状・寸法とし、磁束密度の異なるものを取り付けることも可能ではあるが、そうすると目視による永久磁石の判別が困難であることから部品管理上の問題を生じることになる。こうして、異なる磁束密度の永久磁石を採用しようとすると、大きさや形状が異なってくることから磁石取付部の構造を永久磁石の種類ごとに対応させる必要がある。このことは諸元の変化に対応して、振り竿体の種類が増加することであり、製造コスト上昇の問題が生じることになる。さらに、振り竿体の変化は振り子駆動回路のコイルと永久磁石との距離に変化を生じる原因となることから、振り子の動作を最適にするための対策要因が増加し、対策効果の確認が困難になる問題も生じている。
【課題を解決するための手段】
【０００４】
上記の課題を解決するために、本発明は、枠体の一部に揺動自在に支持され、下端部に振り子を吊り下げ可能な振り竿体の所定位置に永久磁石が取り付けてあり、上記の枠体には上記の永久磁石と対向可能位置に駆動コイルが設けてあり、永久磁石と駆動コイルとにより振り子を所定の振角で往復運動可能にする振り子駆動装置について以下の手段を採用したものである。すなわち、上記の永久磁石は上記の振り竿体に設けてある磁石取付部に取り付けられるが、この磁石取付部をここに取り付ける永久磁石が、厚みが異なる場合にも永久磁石と上記の駆動コイルと対向面間の距離を一定に保持可能な段差を設けたものであるところに特徴がある。ここで段差とは、永久磁石の厚みの変化に対応して永久磁石の他方の面を保持可能とするように複数段に形成したものである。この段差は、深くなっているもの程対向面間の距離が小さくなっている。また、駆動コイルと対向面間の距離を一定に保持可能とは、異なる種類の永久磁石を選択して取り付けた場合に、厚みの変化を上記の段差によって吸収可能であるため、振り子運動により駆動コイルと永久磁石との両者が接近したときに、両者の対向面間の距離がいずれの種類の永久磁石を取り付けた場合にも常に一定になることを意味する。
【発明の効果】
【０００５】
上記の磁石取付部に段差が設けてあり、これに複数種類の永久磁石を選択して取付可能となるため、振り子の性能を変更する場合に異なる永久磁石をそのまま装着可能となる。また、駆動コイルと永久磁石の対向面間の距離を常に一定に保持可能となり、永久磁石の性能の変化のみが振り子の諸元に影響を及ぼす要因となるため、振り子の確実な性能決定が可能となる。なお、永久磁石の形状と磁束密度の大きさ間に関係を特定化しておけば、目視による磁束密度の判断が可能となるため、永久磁石を誤装着するおそれが無くなる。
【発明を実施するための最良の形態】
【０００６】
図１は本発明に係る振り子駆動装置の全体の構成を示す正面図であり、図２は図１のＡ−Ａ線断面図である。図１，２に示すように、枠体１の上部１ａに設けられた軸受部材２に振り竿体３の被支持部３ａが支持されている。軸受部材２の上部両側部は、エッジ状の支持部２ａ，２ａとなっており、振り竿体の被支持部３ａは中央部を深くする凹部となっている。上記のエッジ状の支持部２ａと、この凹部の深くなっている部分である被支持部３ａとが係合することにより、振り竿体３を極めて小さい抵抗の下に支持可能となっている。
【０００７】
振り竿体３は、レバー部３ｂが枠体１の背面側に位置し、下部３ｃが枠体１の下方で前方へ向けて突出し、この突出した部分に磁石取付部４が設けてある。振り竿体３は、上記の磁石取付部４の下部に垂下する振り子支持部３ｄを備えている。振り子支持部３ｄには振り子５が着脱自在に掛止されている。枠体１の高さ方向の中央部分は板状の飾り板部１ｂとなっており、振り竿体３のレバー部３ｂはこの飾り板部の背後に位置しているため、前方からは見えないようになっている。枠体１の飾り板部１ｂの下部には前面開口の補強部１ｃが設けてあり、その下部に設けられた底部１ｄには振り子駆動回路の回路基板６が取り付けてある。振り子駆動回路は回路基板６に必要な電子素子と回路とを備えており、この回路には駆動コイル７が電気的に接続されている。磁石取付部４は振り竿体３の下部に位置し、上記の板ばね部４ａと度当たり部４ｂと側板部４ｃ，４ｃとからなる。磁石取付部４に装着した永久磁石８の上面は板ばね部４ａのばね力により、度当たり部４ｂに押圧された状態で、上記の駆動コイル６の下面と対向可能に設けてある。
【０００８】
図３は図１のＢ部を拡大して示したものであるが、（ａ）〜（ｃ）はいずれも同じ磁石取付部４であり、それぞれ異なる種類の永久磁石を取り付けた状態を示したものである。図３（ａ）に示すように、板ばね部４ａの先端部には永久磁石８の脱落を防止するための爪部４ｃが形成してある（図２参照）。磁石取付部４に装着された永久磁石８は、板ばね部４ａのばね力によって上向きの力を受け、上面が度当たり部４ｂに押圧されることにより、駆動コイル７と所定間隔で対向可能となっている。側板部４ｃは断面がＬ字形に形成してあり、内側にそれぞれ３段の段差４ｅ，４ｅが設けてある。これらの段差４ｅは正面の開口部から所定の奥行きで平行に形成されており、この段差のいずれかの段に沿って永久磁石８を出し入れ可能となっている。段差４ｅは３段階になっているので各段差間の間隔に対応する直径（又は幅）及び厚みの永久磁石を保持可能である。
【０００９】
永久磁石８は諸元の変化に対応して磁束密度の異なるものを取り付ける必要があるが、この大きさを例えば３通りとすれば、最小の磁束密度のものは直径又は幅が最大で厚さを最小とし、最大の磁束密度のものは直径等が最小で厚さが最大のものとし、そして中間の磁束密度のものは、直径等及び厚さともに中間ものとしてある。この結果、形状と磁束密度との関係が確定すれば、永久磁石の磁束密度による分類を目視で判断可能となる。永久磁石８には円板状又はドーナツ状その他の形状があるが、ここでは図３（ａ）に示すように厚円板の中央に、板ばね部４ａの当接を容易にする溝部８ａを設けたものを採用してある。この結果、磁石取付部４に取り付けられた永久磁石８は、振り竿体３のレバー部３ｂが垂直になった状態の下で、上面が駆動コイル７の下面と所定の間隔で対向可能となっている。
【００１０】
永久磁石８の磁石取付部４への取り付け要領は、板ばね部４ａの爪部４ｃを押し下げた状態に保持し、選択した永久磁石８の溝部８ａを板ばね部４ａと平行かつ段差４ｅの対応する段に挿入し、停止するまで押し込むと、板ばね部４ａがばね力で復帰して永久磁石８の端部に爪部４ｃが係合して永久磁石を脱落不能に保持する。取り付けられた永久磁石８は、板ばね部４ａにより上向きに押圧されており、永久磁石８の上面は常に度当たり部４ｂに押圧されているため、振り竿体３のレバー部３ｂが垂直になったときにおけるコイル７の下面と、永久磁石８の上面との間隔、すなわち両者の対向面間の距離は常に一定となる（図１，２参照）。永久磁石８を磁石取付部４から取り出す場合には、板ばね部４ａを押し下げて爪部４ｃによる係止状態を解除して永久磁石８を引き出せばよい。
【００１１】
上述の説明では、磁石取付部４の段差４ｅは３段になっているので、ここには３種類の永久磁石を選択的に取付可能である。図３（ａ）は上述の磁束密度が最小の永久磁石８を取り付けた状態を示している。この永久磁石８は３個の中で最も直径が大きく厚みが薄いものであり、段差４ｅの最上段に保持されている。また、同図（ｃ）は磁束密度が最大の永久磁石２８を取り付けた状態を示している。この永久磁石２８は３個の中で最も直径が小さく厚みが厚いものであり、段差４ｅの最下段に保持可能となっている。さらに同図（ｂ）は中間の磁束密度であり、直径も厚みも上記三者の中間の性質を有する永久磁石１８を取り付けた状態を示しており、段差４ｅの中段に保持可能となっている。上記の永久磁石の平面形状は、いずれも円板状又はドーナツ状としてあるが、この他楕円や正方形又は長方形などであってもよい。また、段差部の段差数も３以外のものであってもよい。
【産業上の利用可能性】
【００１２】
本発明は置時計や掛時計の飾り振り子の駆動装置として適用可能であり、これらの時計の販売促進により産業の発達に寄与するものである。
【図面の簡単な説明】
【００１３】
【図１】全体構成の正面図である。
【図２】図１の線Ａ−Ａ断面図である。
【図３】図１のＢ部詳細図であり、（ａ）は小磁束密度の永久磁石を取り付けた状態、（ｂ）は中磁束密度の永久磁石を取り付けた状態、（ｃ）は大磁束密度の永久磁石を取り付けた状態を示している。
【符号の説明】
【００１４】
１              枠体
３              振り竿体
４              磁石取付部
４ｅ            段差
５              振り子
６              回路基板
７              駆動コイル
８，１８，２８  永久磁石
【図１】
2005069896.tif 000003
【図２】
2005069896.tif 000004
【図３】
2005069896.tif 000005